(57)【要約】【課題】  多様な体格の人がその体格にあった略腰掛け具合の良い腰掛に腰掛けて足等を休めることができる腰掛群体を提供することを目的としている。【解決手段】  支柱の間に支柱同士を連結するように設けられた、座り部位の平面図形態が楕円形態であり且つ平形態である腰掛け部３ａ、３ｂ、３ｃ、３ｄと、とからなり、腰掛け部３ａ、３ｂ、３ｃ、３ｄの１つ以上の腰掛部が他の腰掛部と腰掛け高さが相違してなる構成となっている。【選択図】図１
2008100011.tif 000002
【特許請求の範囲】
【請求項１】
適宜な間隔をあけて設けられた3本以上の支柱ａ、支柱ｂ、支柱ｃ・・・支柱ｎと、
この支柱ａ、支柱ｂ、支柱ｃ・・・支柱ｎの間に支柱同士を連結するように設けられた腰掛け部ａ、腰掛け部ｂ・・・腰掛け部ｎと、とからなり、
前記腰掛け部腰掛け部ａ、腰掛け部ｂ・・・腰掛け部ｎの１つ以上の腰掛部が他の腰掛部と腰掛け高さが相違していることを特徴とする腰掛群体。
【請求項２】
腰掛部の全部あるいは一部の座り部位が平形態であることを特徴とする請求項１記載の腰掛群体。
【請求項３】
腰掛部の座り部位の平面図形態が楕円形態であり且つ平形態であることを特徴とする請求項１，２いずれか記載の腰掛群体。
【請求項４】
車止あることを特徴とする請求項１、２、３いずれか記載の腰掛群体。
【請求項５】
一本の支柱と、
この支柱の周囲に設けられた複数の腰掛部と、とからなり、
前記腰掛部の１つ以上の腰掛部が他の腰掛と腰掛け高さが相違していることを特徴とする腰掛群体。
【発明の詳細な説明】
【技術分野】
【０００１】
本発明は腰掛群体に関する。
【背景技術】
【０００２】
人には歩き疲れて簡易的に腰掛け休息をしたいという欲求がある。人は幼児、小学生、腰の曲がったお年寄り、大人など多様な体格の人がいる。しかし、従来の腰掛部を複数有する腰掛群体は同じ腰掛け高さの腰掛部を複数有する腰掛群体となっている。これでは、多様な体格の人が自分にあった腰掛高さの腰掛に座るということができなく、快適な休息ができないという欠点を有するものであった。
【特許文献１】特になし
【非特許文献１】特に無し
【発明の開示】
【発明が解決しようとする課題】
【０００３】
本発明は以上のような従来技術の欠点に鑑み、多様な体格の人がその体格にあった略腰掛け具合の良い腰掛に腰掛けて足等を休めることができる腰掛群体を提供することを目的としている。
【０００４】
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲を限定するものではない。
【課題を解決するための手段】
【０００５】
上記目的を達成するために本発明は、以下のような構成となっている。
＜請求項１記載の発明＞
適宜な間隔をあけて設けられた3本以上の支柱ａ、支柱ｂ、支柱ｃ・・・支柱ｎと、この支柱ａ、支柱ｂ、支柱ｃ・・・支柱ｎの間に支柱同士を連結するように設けられた腰掛け部ａ、腰掛け部ｂ・・・腰掛け部ｎと、とからなり、前記腰掛け部ａ、腰掛け部ｂ・・・腰掛け部ｎの１つ以上の腰掛部が他の腰掛部と腰掛け高さが相違している腰掛群体を構成している。
支柱ａ、支柱ｂ、支柱ｃ・・・支柱ｎの形態、円形形態（木などを囲う円形囲い）、半円形態、直線形態など多様な形態がある。
＜請求項２記載の発明＞
請求項１記載の発明の構成において、腰掛部の全部あるいは一部の座り部位が平形態である腰掛群体を構成している。
＜請求項３記載の発明＞
請求項１，２いずれか記載の発明の構成において、腰掛部の座り部位の平面図形態が楕円形態であり且つ平形態である腰掛群体を構成している。
＜請求項４記載の発明＞
請求項１、２、３いずれか記載の発明の構成において、腰掛群体と支柱からなる形態が車止である腰掛群体を構成している。
＜請求項５記載の発明＞
一本の支柱と、この支柱の周囲に設けられた複数の腰掛部と、とからなり、前記腰掛部の１つ以上の腰掛部が他の腰掛と腰掛け高さが相違している腰掛群体を構成している。
【発明の効果】
【０００６】
本発明は上述したような構成となっているので、次に述べるような効果を奏する。
すなわち、高さの相違する複数の腰掛部や腰掛を有する腰掛群体であるので、幼児、お年寄り、障害者などそれぞれの体格や事情にあった高さの腰掛を選んで腰を掛け休息することができるという効果を奏する。
歩道の車止前が自転車の放置場所になっていて、点字ブロックの上や、歩行者の歩行邪魔になっいたり、商店街や街並みの景観を著しく損ねている場合などがあるが、本発明の腰掛群体を歩道に設けて車止とした場合ないし歩道の車止に後付けで腰掛群体を取り付けた場合には、自転車の不法駐輪は抵抗なく無くすこすとができ、歩きやすく、休みやすく、景観がよい街並みを形成できる。
【発明を実施するための最良の形態】
【０００７】
以下、図面に示す発明を実施するための最良の形態により、本発明を詳細に説明する。
【０００８】
＜第１の実施の形態＞
図１、図２に示す本発明を実施するための最良の第１の実施の形態において１は腰掛群体であって、この腰掛群体１は支柱２ａ、２ｂ、２ｃ、２ｄ、２ｅと、この支柱の間に支柱同士を連結するように設けられた、座り部位の平面図形態が楕円形態であり且つ平形態である腰掛け部３ａ、３ｂ、３ｃ、３ｄと、とからなり、腰掛け部３ａ、３ｂ、３ｃ、３ｄの１つ以上の腰掛部が他の腰掛部と腰掛け高さが相違してなる構成となっている。
具体的には地面から座り部分までの高さが、腰掛け部３ａが３０ｃｍ、腰掛け部３ｂが４０ｃｍ、腰掛け部３ｃが５０ｍ、腰掛け部３ｄが６０ｍとなっている。
支柱２ａ、２ｂ、２ｃ、２ｄの下部には支柱２ａ、２ｂ、２ｃ、２ｄを連結固定してなる連結底板４が設けられ、連結底板４にはアンカー穴５が適宜設けられている。
支柱２ａ、２ｂ、２ｃ、２ｄは中空となっていて底が開放された形態で、地中埋設杭６を差込むことができるようになっている。
【０００９】
図２において、既設の車止９に腰掛群体１を立て掛け形態として、アンカー７と固定金具８で固定し取り付けている。取り付け作業が軽工具、軽作業で短時間で安価にできる。
地面側の固定は短めの地中埋設杭６によるのもよい。
また、既設の車止９から１０ｃｍ〜２０ｃｍ程度離して、図１のように埋設設置で設けるのも良い。
腰掛け群体１は車止としての機能も果たすものである。
【００１０】
（発明を実施するための異なる形態）
次に、本発明を実施するための異なる形態について説明する。なお、これら本発明を実施するための異なる形態の説明に当たって、本発明を実施するための前述した実施の形態と同一構成部分には同一符号を付して重複する説明を省略する。
【００１１】
＜第２１の実施の形態＞
図３に示す本発明を実施するための最良の第２の実施の形態において１５は腰掛群体であって、この腰掛群体１５は一本の支柱１６と、この支柱１６の周囲に殆どが重ならないように配置設けられた腰掛部１７ａ、１７ｂ、１７ｃと、支柱１６の平頂上部である腰掛部１８と、とからなり、腰掛部１７ａ、１７ｂ、１７ｃは殆どが重ならないように腰掛け高さが相違している。
【産業上の利用可能性】
【００１２】
本発明は腰掛けや車止を製造する産業で利用される。
【図面の簡単な説明】
【００１３】
【図１】図１は本発明の最良の第１の実施の形態の地中立設した状態の正面図および平面図。
【図２】図２は本発明の最良の第１の実施の形態の既設の車止に取り付けた状態の正面図。
【図３】図３は図１は本発明の最良の第１の実施の形態の地中立設した状態の正面図および平面図。
【符号の説明】
【００１４】
１：腰掛群体、
２ａ、２ｂ、２ｃ、２ｄ、２ｅ：支柱、
３ａ、３ｂ、３ｃ、３ｄ：腰掛け部、
４：連結底板、
５：アンカー穴、
６：地中埋設杭、
７：アンカー、
８：固定金具、
９：既設の車止、
１５：腰掛群体、
１６：支柱、
１７ａ、１７ｂ、１７ｃ：腰掛部、
１８：腰掛部。
【図１】
2008100011.tif 000003
【図２】
2008100011.tif 000004
【図３】
2008100011.tif 000005